(57)【要約】【課題】机天板１の上方の後部に配置する収納箱体３５自体を軽量化し、且つ支柱３４の数も少なくしてデザインの優れた支持構造を提供する。【解決手段】机天板１の少なくとも後部を脚体２または補助脚体３にて支持してなる机において、机天板１の後部の左右両側部から一対の支柱３４を立設し、一対の支柱３４の上端間に横長の１枚の支持板４５を装着し、この支持板４５上に１つの横長の収納箱体３５を載置して固定するか、もしくは、左右一対の支柱３４で支持された横長の１枚の支持板４５上に複数の収納箱体３５を横１列状に並べて固定したものである。【選択図】図２
2006081922.tif 000002
【特許請求の範囲】
【請求項１】
机天板の少なくとも後部を脚体または補助脚体にて支持してなる机において、前記机天板の後部の左右両側部から一対の支柱を立設し、該一対の支柱の上端間に横長の１枚の支持板を装着し、この支持板上に１つの横長の収納箱体を載置して固定するかもしくは複数の収納箱体を横１列状に配置して固定したことを特徴とする机における収納装置。
【請求項２】
机天板の少なくとも後部を脚体または補助脚体にて支持してなる机において、２つの前記机天板を、その後端同士を隣接させて背中合わせ状に配置し、前記各机天板の後部の左右両側部から一対の支柱を立設し、
前記合計４本の支柱の上端間に跨がって横長の１枚の支持板を装着し、この支持板上に複数の収納箱体を横１列状に配置して固定し、且つ隣接する収納箱体の開口部を互いに逆向きであって、机天板の前側に開口するように配置したことを特徴とする机における収納装置。
【請求項３】
前記各収納箱体の開口部には、机天板の前側から開き可能となる蓋体を設けたことを特徴とする請求項１または２に記載の机における収納装置。
【請求項４】
前記各脚体または補助脚体の上端に、前記各机天板を載置するための連結体を連結し、該連結体もしくは前記机天板の下面を支持する支持板に、前記各支柱の基部を固定したことを特徴とする請求項１ないし３のいずれかに記載の机における収納装置。
【発明の詳細な説明】
【技術分野】
【０００１】
本発明は、筆記又はコンピュータ操作等のような各種のデスクワークを行う事務等に使用される机における収納装置の構造に関するものである。
【背景技術】
【０００２】
最近のこの種の机は、特許文献１等に開示されているように、左右一対の脚体上端間を机天板にて連結し、該机天板の左右両側の後部隅部を円弧状に切欠き、その切欠き部にて、各脚体に基端を固定して立設した支柱の上端間に、１つの収納箱体を取付けた構成が公知である。即ち、机天板の左右両側の後部隅部から立設した左右一対の支柱における各上端には、前向き水平にブラケットを突設し、この一対のブラケットに対して左右横長の１つの収納箱体の下端部をビスなどにて固定したものであった。
【特許文献１】米国特許第５１８３１９号公報（図１、図２、図１１〜図１３参照）
【発明の開示】
【発明が解決しようとする課題】
【０００３】
しかしながら、特許文献１の構成では、２つ以上の収納箱体を横に並べて配置した場合、各収納箱体の両端部毎に支柱が必要となるので、例えば、２個の収納箱体を横に並べて支柱でのみで支持しようとすると、机天板の後端の左右中央部にも少なくとも１本の支柱を余分に立設して、横並びする２つの収納箱体の隣接箇所を前記１本の支柱で支えなければならない。同様に、横長の収納箱体の左右両端部だけ支柱で支持すると、この収納箱体に収納した内容物の重量により、当該収納箱体の左右中途部が撓み変形し易くなるので、この不都合を回避するには、収納箱体の剛性を大幅に大きくするか、収納箱体の左右中途部を支柱で支持する必要があり、いずれの場合もデザイン的に美観が良くないし、収納箱体の剛性を高めるには、収納箱体自体の重量も重くなる。
【０００４】
さらに、机天板の後端の左右中央部に立設する１本の支柱を机天板だけで支持するとすると、収納箱体及びその内容物品の重量が前記支柱を介して机天板の左右中央部に集中的に作用して、当該机天板の左右中央部が下に大きく撓み変形し易くなるので、その部分に机天板を支持するための脚体が余分に必要となり、部品点数が多くなるという問題もあった。
【０００５】
本発明は、これらの問題を解消し、横長の収納箱体を配置する場合や、複数の収納箱体を横に並べて、机天板の後部上方に配置するときの部品点数の省略と軽量化によるコスト削減と、デザインの向上とを同時に達成することを技術的課題とするものである。
【課題を解決するための手段】
【０００６】
前記技術的課題を達成するため、請求項１に記載の発明の机における収納装置は、机天板の少なくとも後部を脚体または補助脚体にて支持してなる机において、前記机天板の後部の左右両側部から一対の支柱を立設し、該一対の支柱の上端間に横長の１枚の支持板を装着し、この支持板上に１つの横長の収納箱体を載置して固定するかもしくは複数の収納箱体を横１列状に配置して固定したことを特徴とするものである。
【０００７】
請求項２に記載の発明の机における収納装置は、机天板の少なくとも後部を脚体または補助脚体にて支持してなる机において、２つの前記机天板を、その後端同士を隣接させて背中合わせ状に配置し、前記各机天板の後部の左右両側端部から一対の支柱を立設し、前記合計４本の支柱の上端間に跨がって横長の１枚の支持板を装着し、この支持板上に複数の収納箱体を横１列状に配置して固定し、且つ隣接する収納箱体の開口部を互いに逆向きであって、机天板の前側に開口するように配置したものである。
【０００８】
請求項３に記載の発明は、請求項１または２に記載の机における支柱装置において、前記各収納箱体の開口部には、机天板の前側から開き可能となる蓋体を設けたものである。
【０００９】
請求項４に記載の発明は、請求項１ないし３のいずれかに記載の机における収納装置において、前記各脚体または補助脚体の上端に、前記各机天板を載置するための連結体を連結し、該連結体もしくは前記机天板の下面を支持する支持板に、前記各支柱の基部を固定したものである。
【発明の作用・効果】
【００１０】
請求項１に記載の発明によれば、一対の支柱の上端間に横長の１枚の支持板を装着し、この支持板に１つの横長の収納箱体を配置して固定するか、もしくは、複数の収納箱体を左右一対の支柱で支持された横長の１枚の支持板上に横１列状に並べて固定したものである。
【００１１】
机天板の上方にて複数の収納箱体を横１列状に並べて配置する場合、従来技術では、収納箱体１つに付き左右一対の支柱が必要となるのに比べて、本発明では、横長の１枚の支持板上に複数の収納箱体を横１列状に並べて固定できるので、支柱の必要数を少なくすることができる。また、１つの横長の収納箱体の両端部のみを一対の支柱で支持した場合、収納した内容物の重量のため、１つの横長の収納箱体の長手方向の中途部が撓み変形し易いから、従来技術のように、支持板が存在しないときには、机天板の後部の左右中途部から余分に支柱を立設する必要があるが、本発明では、この余分の支柱を省略することができる。しかも、収納箱体の剛性を必要以上に大きくすることを回避して軽量化を図ることができる。
【００１２】
さらに、収納箱体及びその内容物品の重量が前記余分の支柱を介して机天板の左右中途部に集中的に作用して、当該机天板の左右中途部が下に大きく撓み変形し易くなるので、その部分に机天板を支持するための脚体が余分に必要となるが、本発明によれば、机天板の後部の左右中途部に支柱を設ける必要がないので、収納箱体及びその内容物品の重量のために天板の後部の左右中途部が変形することがないし、机天板の変形を防止するための余分の脚体も不必要となり、コストを低減できる。
【００１３】
しかも、机天板の左右中途部に支柱が存在しないので、デザイン的にもすっきりとした美観を呈することができるという効果を奏する。
【００１４】
請求項２に記載の発明によれば、机天板の少なくとも後部を脚体または補助脚体にて支持してなる机において、前記２つの机天板を、その後端同士を隣接させて背中合わせ状に配置し、前記各机天板の後部の左右両側端部から一対の支柱を立設し、前記合計４本の支柱の上端間に跨がって横長の１枚の支持板を装着し、この支持板上に複数の収納箱体を横１列状に配置（載置）して固定したから、請求項１の発明の場合よりも、一層支持能力が向上する。即ち、従来技術では、収納箱体１つに付き左右一対の支柱が必要となるのに比べて、本発明では、支柱の必要数を少なくすることができる。また、机天板の左右中途部に支柱を立設した場合、その支柱を介して収納箱体及びその内容物品の重量が机天板の左右中途部に集中的に作用して、当該机天板の左右中央部が下に大きく撓み変形し易くなるので、その部分に机天板を支持するための脚体が余分に必要となるが、本発明によれば、机天板の後部の左右中途部に支柱を設ける必要がないので、収納箱体及びその内容物品の重量のために机天板の後部の左右中途部が変形することがないし、机天板の変形を防止するための余分の脚体も不必要となり、コストを低減できる。
【００１５】
しかも、机天板の左右中途部に支柱が存在しないので、デザイン的にもすっきりとした美観を呈することができるという効果を奏する。
【００１６】
さらに、前記各机天板の後部の左右両側端部から一対の支柱を立設し、前記合計４本の支柱の上端間に跨がって横長の１枚の支持板を装着し、この支持板上に複数の収納箱体を横１列状に配置して固定したから、各机天板の上方における前方に対する支持板及び収納箱体の突出量を少なくでき、各机の前に座る人にとって圧迫感が少なくなるという効果も奏する。
【００１７】
また、隣接する収納箱体の開口部を互いに逆向きであって、机天板の前側に開口するように配置したものであるから、背中合わせに配置した２つの机天板の各々の前側から、対応する開口を有する収納箱体に対して物品の出し入れが簡単にできるという効果も奏する。
【００１８】
請求項３に記載の発明によれば、前記各収納箱体の開口部には、机天板の前側から開き可能となる蓋体を設けたものであるので、請求項１または２に記載の発明による効果に加えて、各収納箱体に収容された物品が露出せず、外観が向上する。
【００１９】
請求項４に記載の発明は、前記各脚体または補助脚体の上端に、前記各机天板を載置するための連結体を連結し、該連結体もしくは前記机天板の下面を支持する支持板に、前記各支柱の基部を固定したものであるので、支柱を机天板に固定しないから、その下方の支持板や連結体を強固にするだけで、請求項１乃至請求項３のいずれかに記載の発明による効果に加えて、支柱の立設の作業が容易にできると共に当該支柱の取付け強度が向上し、重量の大きい収納箱体等を載置することができるという効果を奏する。
【発明を実施するための最良の形態】
【００２０】
次に、本発明を具体化した実施の形態及び参考例を説明する。図１は事務用机等の斜視図、図２は変形例を示す斜視図、図３は机の平面図、図４は机天板１の上方に配置する収納箱体とその支柱の側面図、図２２は実施形態における一部切欠き側面、図２３は実施形態における一部切欠き平面図である。図１及び図２に示すように、本発明の机は、平面視で略Ｌ字状の机天板１を一対の脚体２、２とその中間の補助脚体３とで支持するものであり、断面矩形筒状の横長のステー部材４の両端は、前記両脚体２の及び断面四角状の補助脚体３の上端の各々に連結された後述する連結体１１にボルトにて接続され、隣接する連結体１１、１１の後縁には、合成樹脂製の押出材からなる配線受け樋５（図９及び図１２参照）が前記机天板１の後面に沿って延びるように配設されている。
【００２１】
前記両脚体２は、床面上を机に対して前後方向に延びる下アーム部材６と、この下アーム部材６の上面から立設する金属板製中空状の脚柱７と、前記脚柱７の後面に沿って立設する金属板製中空状の補助脚柱８とによって構成されている。前記脚柱７の断面形状は、図６に示すように、その外側面板を机の前後方向に略真っ直ぐな平面に、その内側面板を後方に向かって湾曲しながら内向きに傾斜した湾曲傾斜面にするというように一つの湾曲辺と二つの直線辺とを有する平面視で略三角形に形成されている。なお、脚柱７及び補助脚柱８を一体的に作っても良い。
【００２２】
前記連結体１１は、平面視において略正方形に形成された金属製等からなるブロック体であり、その一つの角部の補助脚取付け部１２を前記補助脚柱８の上端面や前記補助脚体３の上面に対してボルトの締結にて着脱自在に取付けられる。
【００２３】
また、前記連結体１１の各側面のうち前記補助脚取付け部１２を有する一つの角部と対角をなす他の一つの角部に隣接して互いに直角をなす二つの側面には、前記横長のステー部材４の取付け部としての棒片１６を横向きに一体的に突出して、これに前記ステー部材４の一端を被嵌したのちボルト（図示せず）を締結することにより、ステー部材４を着脱自在に連結する。
【００２４】
しかして、連結体１１は、平面視において、前記補助脚取付け部１２から、２つの棒片１６、１６の挟む対の角部を通る対角線に対して対称形に形成されている。このようにして、前記連結体１１には、一つの角部を挟んで直角をなす二つの側面の各々に脚取付け部１４が、他の角部を挟んで直角をなす二つの側面に各々にステー部材４の取付け部としての棒片１６が設けられる等、平面視で前記両角部を結ぶ対角線に対して対称形状にすることにより、左右両側の脚体２、２及び補助脚体３に対して連結する連結体１１共通部品にすることができる。
【００２５】
前記連結体１１の各側面のうち前記補助脚取付け部１２を有する一つの角部を挟んで互いに直角をなす二つの側面には、前記脚柱７の上端に対して平面視略矩形状の支持板１８ａと共にボルト１５の締結にて着脱自在に取付けられる脚取付け部１４が一体的に設けられ、他方の脚取付け部１４の下面に、ビス１５ａを介して取付け片１３を連結し、該取付け片１３に前記配線受け樋５の下面の一端部を、ビス１５ｂの締結にて着脱自在に連結する（図９参照）。なお、補助脚体３の上面に前記補助脚取付け部１２の箇所でボルト連結した連結体１１の上面には平面視略正方形状の支持板１８ｂをボルトにて連結固定する。
【００２６】
その場合、前記両脚取付け部１４の外側には、前記配線受け樋５の上下中途部側に形成された断面横向きコ字状の嵌合部５ｃには、下向き係止突条５ａが係合し得る係止溝１７が形成されており、連結体１１の外側辺の下部側が前記係止溝１７より下方において断面湾曲状にカットされたカット部１７ａが設けられている。そして、前記嵌合部５ｃにおける下向き係止突条５ａの下方には、横向きの当接片５ｂが形成されており、隣接する脚体２（補助脚体３）に予め固定された２つの連結体１１、１１のうち、図９の二点鎖線に示す如く、直線状に並ぶ係止溝１７、１７に前記配線受け樋５の左右両端部の下向き係止突条５ａを嵌め入れ、係止溝１７の箇所を中心にして配線受け樋５を回動させて、配線受け樋５を斜めにして嵌め入れ、次いで図９の実線のように配線受け樋５の下端の配線受け樋部５ｄを下の前方に来るようにセットすると、前記カット部１７ａが前記嵌合部５ｃに嵌まると共に、当接片５ｂが前記カット部１７ａ垂直面に当接するので、それ以後は作業者が配線受け樋５から手を離しても、当該配線受け樋５の取付け姿勢は変化せず、且つ連結体１１、１１から脱落しないから、他の箇所の組み立て作業に移行できる。
【００２７】
そして、前記脚体２、２及び補助脚体３の上面にボルトにて連結した両連結体１１の上面に支持板１８ａ，１８ｂを、さらにボルト連結した後これら支持板１８ａ，１８ｂの上面に、前記机天板１を載せてビス止めする。
【００２８】
なお、本実施の形態の場合、机天板１の前後方向の寸法が大きい箇所では、前記支持板１８ａに、机天板１の下面に沿って前方に延びるアーム部材１９を下からのビスにて固着することにより、このアーム部材１９によっても机天板１を支持するように構成されている。前記机天板１における左右両側のうち前記脚柱７及び補助脚柱８に該当する部分には、これらを露出するようにした側方切欠部１ａが設けられ（図６参照）、この側方切欠部１ａには、この切欠部１ａ内のうち前記脚柱７の上端における連結体１１、支持板１８ａ及び前記補助脚柱８の上端における連結体１１上を一体的に覆い隠すようにしたキャップ体２０が、その下向き係合片２０ａ（図１４（ａ）参照）を支持板１８ａの取付け孔２１に嵌め入れることにより、着脱自在に設けられている（図６及び図１４（ａ）参照）。
【００２９】
また、机天板１の後縁部は、図６で示すように、前記左右両側の連結体１１と配線受け樋５の左右両側端部との取付け箇所で、当該配線受け樋５の上部側５ａとの間隔が狭く、それより内側の左右連結体１１、１１の間で、前記上部側の前縁部５ａとの間隔が広くなり配線コードを引き出しできるように、机天板１の後縁部のうち左右両側端部を除き、後端切欠き部１ｂを形成する。
【００３０】
前記配線受け樋５は、図９及び図１２に示すように、前記机天板１の後縁部のと対峙する上部側における前縁部には、断面半円弧状の係合支持部２２が形成されており、前記後端切欠き部１ｂとの隙間のうち寸法Ｌ２を残してこれを塞ぐようにした直線状のカバー体２３の基部係合部２３ａが前記係合支持部２２に着脱自在、且つ上下回動可能に連結され、カバー体２３を上方に回動したとき、前記机天板１の後縁部との隙間が広くなり、机天板１上のＯＡ機器からの配線を前記受け樋部５ｄ上に簡単に落とし込むことができるように構成されている。
【００３１】
前記キャップ体２０は、合成樹脂材等にて形成されており、図１３、図１４（ａ）及び図１４（ｂ）に示すごとく、下面側には、前記支持板１８ａにおける取付け孔２１に嵌まる前記ピン状の係合片２０ａや、連結体１１における補助脚取付け部１２の上面に突出する角部２４に嵌合する凹所２５などが一体的に形成されている。さらに、前記キャップ体２０の後部寄り部位には、上面及び左右両側に開放されるコード挿通溝２６が凹み形成されており、このコード挿通溝２６の上面は図１５に示す上補助キャップ２７で覆うため、該上補助キャップ２７における一対の係合爪２７ａを、コード挿通溝２６内面に設けた係止溝２６ａに着脱自在係止させる。他方、縦補助キャップ２８の内面に形成された一対の上係合爪２８ａ，２８ａを前記係止溝２６ａに着脱自在に係止させる一方、一つの下係合爪２８ｂを下係止溝２６ｂに着脱自在に係止させる。この縦補助キャップ２８は脚体２（補助脚体３）の外側面に対するものである。
【００３２】
この構成により、前記の机を横に並べたとき、前記上補助キャップ２７及び縦補助キャップ２８を除去してから、一方の机天板１の後端下方の配線受け樋５の端部から支持板１８ａ（１８ｂ）の後部を通した配線コードを、コード挿通溝２６を介して隣接する脚体２（補助脚体３）上のコード挿通溝３２（図１０参照）に挿通させた後、端カバー体３３（図１１参照）及び上補助キャップ２７を夫々の箇所に被せると、机の上面後部がすっきりとする。
【００３３】
また、図１、図２及び図３に示すように、脇机もしくはキャビネット付きワゴン３０における天板３１の後端縁に沿って、前記の配線受け樋５を装着しておけば、前記机の側方に前記脇机もしくはキャビネット付きワゴン３０を隣接させたときにも、机の後端縁及び脇机もしくはキャビネット付きワゴン３０に沿った配線受け樋５、５に配線を挿通させることができる。
【００３４】
さらに、前記連結体１１の上面に支持板１８ａ，１８ｂ及び机天板１を取付けした状態にて、図１、図２、図４、図１０及び図１１に示すように、机天板１の上方後部側に左右一対の支柱３４、３４を介して収納箱体３５を立設配置するため、各支柱３４の基部の相互に直角方向に延びる一対の水平フランジ３６を机天板１の後角部に当接させた状態で、支持板１８ａ，１８ｂの上面に載置し、 4本のボルト３７にて固定するものである。
【００３５】
各支柱３４は、平面視略Ｌ字状の上下長手の基体３９と、前記Ｌ字状の空間部を覆うための上下長手で横断面が四分の一円の略凹円弧状等のカバー体４０からなり、前記机天板１の後角部が基体３９の内側面に当接できるよう構成されており、カバー体４０の下縁と机天板１の上との間には、配線コードの挿通できる隙間４３が形成されている（図１０参照）。
【００３６】
そして、基体３９の左右両側縁には、平面視略Ｌ字状の上下長手の縁片４１を互い内向きに屈曲形成し、各縁片４１、４１には、上下方向に適宜一定間隔にて係止溝孔４２が穿設形成されている。なお、前記カバー体４０の幅方向に両側縁部に上下長手の係合爪部４０ａ，４０ａが一体的に形成されており、合成樹脂材料等にて弾性を有するので、作業者はカバー体４０の幅方向の寸法を縮めた状態で、前記左右両係合爪部４０ａ，４０ａが基体３９における左右両側の縁片４１、４１のうち対向する角部に押し込み係合させることで、簡単にカバー体４０を着脱できるものである。
【００３７】
そして、左右両支柱３４、３４の上端に前向きの箱支持用ブラケット４４の基端を溶接等にて固着し、左右両箱支持用ブラケット４４上に支持板４５を載置固定し、さらにその上に１ないし横並びにした複数の収納箱体３５の下面をビス等にて固定するものである。なお、前記収納箱体３５はその前面を覆うための蓋体４６が上向き跳ね上げ式に装着されている。開いた蓋体４６は収納箱体３５の上面外側に略水平状にて配置される。
【００３８】
なお、前記支持板４５の一部に収納箱体３５を載置固定した場合や１ないし複数の収納箱体３５を横並びに載置することなく、支持板４５の上面を物品載置用の棚板として使用できる。
【００３９】
図１６及び図１７は、支柱３４の別の実施形態であり、鋼製等の金属製の各支柱３４における平面視略Ｌ字状の上下長手の基体３９の内面側に、同じく平面視略Ｌ字状で厚さの薄い上下長手の取付け部材３８を添設してスポット溶接等にて固定する。そして、該取付け部材３８左右両側縁には、平面視略Ｌ字状の上下長手の縁片４１を互い内向きに屈曲形成し、各縁片４１、４１には、上下方向に適宜一定間隔にて係止溝孔４２を穿設形成するものである。また、カバー体４０の別実施形態としては図１７に断面で示すように、合成樹脂製等のカバー体４０の裏面の左右両側部位に、係合爪４０ａ，４０ａをカバー体４０と一体的に形成したものである。なお、カバー体４０の断面を、平面視略Ｌ字状の基体３９の内側の空間を凸湾曲状に囲むように、四分の一円の略凸円弧状に形成しても良い。このように、凸円弧状のカバー体４０を装着すると、支柱３４の前側の囲まれる空間を広くすることができると共に、外観として支柱３４の太さを大きく見せることができる。
【００４０】
次に、前記支柱３４の利用方法について説明すると、その第１参考例は、左右両支柱３４、３４の上下中途部間の任意の高さ位置に棚板４７を着脱可能に装着するものである。即ち、図１８及び図１９（ａ）に示すように、左右両支柱３４、３４における前側の縁片４１の前向きに開口している係止溝孔４２に対して、棚板支持用のブラケット４９の基端に形成された上下複数の係合爪５０ａ、５０ｂを係合し、ブラケット４９の上面の水平片４９ａに棚板４７を載置してビス５１止めするものである。第２参考例では、支柱３４における左右両側縁片４１、４１の両係止溝孔４２、４２に対して前記ブラケット４９、４９を平面視で９０度方向に異なる方向に突出させ、これら４つのブラケット４９にて棚板４７を支持させる構成である（図１９（ｂ）参照）。このように、１本の支柱３４の対角状に大きく離れた位置の縁片４１、４１には互いに平面視で９０度異なる方向に開口する係止溝孔４２、４２が形成され、これにより、平面視で９０度異なる方向にブラケット４９を突出できるから、棚板４７の支持も確実にできるのである。
【００４１】
支柱３の利用の第３参考例は、１本の支柱３４だけで、小さい平面積の小棚板５２を支持するものであり、そのため、図２０に示すような大ブラケット５３ａと小ブラケット５３ｂとの組からなる支持ブラケット５３を利用する。即ち、大ブラケット５３ａは、平面視で平板の中途に屈曲角度略７２度の屈曲部５４ａが３箇所設けられて一側が開放された略５角形状に形成されており、且つ平板の基端部には図１８と同様の上下に所定間隔にて係合爪５０ａ、５０ｂが形成されており、小ブラケット５３ｂは平板の中途を１箇所のみ屈曲角度略７２度の屈曲部５４ｂとし、その平板の基端部には図１８と同様の上下に所定間隔にて係合爪５０ａ、５０ｂが形成されているものである。
【００４２】
そして、大ブラケット５３ａにおける前記係合爪５０ａ、５０ｂを、前記支柱３４の一方の縁片４１における係止溝孔４２に係合した状態で、小ブラケット５３ｂにおける係合爪５０ａ、５０ｂを、前記他方の縁片４１における係止溝孔４２に係合し、大ブラケット５３ａと小ブラケット５３ｂとの合わせ面にて両平板をビス５５にて締着連結すると、支持ブラケット５３は支柱３４から外れない。そして、前記大ブラケット５３ａ及び小ブラケット５３ｂの上面に屈曲させた複数箇所の水平支持板部５６にて小棚板５２を支持し、下面側からビス止めすれば、当該小棚板５２は、支柱３４に対して片持ち梁的に支持されるのである。このような小棚板５２には、電話機を載置したり、花瓶、写真立て等の装飾品、小物を載置できる。
【００４３】
図２１に示す第４参考例では、前記と略同じ平面形状の大ブラケット５３ａ及び小ブラケット５３ｂからなる（但し、水平支持板部５６は無い）物品支持用ブラケット５７とし、基体３９の箇所から最も遠い箇所の平板５７ａに電源用及び通信回線用のいずれか一方もしくは双方のコネクタ５８を取付け固定する。前記物品支持用ブラケット５７には、照明器具（図示せず）を取付けても良い。これの場合、基体３９の前面側の空間をカバー体４０にて覆われているから、カバー体４０の中途に穿設した孔から裏面側の前記空間に立て方向に配線コード５９を挿通させると、配線箇所を隠して外観が向上する。
【００４４】
このように、１本の支柱３４において平面視で互いに９０度方向の異なる向きに係止溝孔４２、４２を利用して、ブラケットを取付けると、該ブラケットは脱落不能で且つガタツキなく、強固に装着できるという効果を奏する。
【００４５】
さらに、前記左右一対の支柱３４、３４における机天板１の後縁に沿う方向に係止溝孔４２に対して取付けブラケットを設け、この左右両取付けブラケット間に荒い網目の格子枠を装着し、該格子枠に物品を吊りフックを介して吊支するようにしても良い。
【００４６】
図２２及び図２３の実施形態は、前記２つの机天板１、１の後縁同士を近接させて配置し、各机天板１の左右両側から立設した４本の支柱３４に跨がって支持板４５を載置固定し、該支持板４５上に前記収納箱体３５を２つ横並びに載置固定する。その場合、一方の収納箱体３５の蓋体４６が一方の机天板１の前側から開き可能とし、他方の収納箱体３５の蓋体４６が他方の机天板１の前側から開き可能となるように、収納箱体３５の開口部を別々の方向に向くように配置すると、前記背中合わせに配置した机天板１、１側の各作業者に対して別々収納空間を提供することができる。
【００４７】
なお、前記支持板４５の一方に収納箱体３５を載置固定した場合、その他の支持板４５の上面を物品載置用の棚板として使用でき、また、収納箱体３５を載置することなく、支持板４５の上面を物品載置用の棚板として使用できる。
【００４８】
なお、図１及び図２に示すように、机天板１の後縁に沿って目隠し用パネル６０を立設するには、当該目隠し用パネル６０の左右端から下向きに突出する取付け軸（図示せず）を、前記連結体１１における角部２４に穿設された装着孔６１に差し込めば良い。この場合、キャップ体２０の上面後端に穿設された挿通孔６２を介して前記取付け軸を挿通するものである。
【００４９】
上述のように本発明によれば、一対の支柱３４の上端間に横長の１枚の支持板４５を装着し、この支持板４５上に１つの横長の収納箱体３５を載置して固定するか、もしくは、左右一対の支柱３４で支持された横長の１枚の支持板４５上に複数の収納箱体３５を横１列状に並べて固定したものである。
【００５０】
複数の収納箱体３５を横１列状に並べて配置する場合、従来のように、左右一対の支柱３４で直接収納箱体３５を支持するには、収納箱体３５１つに付き左右一対の支柱３４が必要となるのに比べて、本発明では、支持板４５上に複数の収納箱体３５を横１列状に並べて固定するので、支柱３４の必要数を少なくすることができる。また、１つの横長の収納箱体３５の両端部のみを一対の支柱３４で支持した場合、収納した内容物の重量のため、１つの横長の収納箱体３５の長手方向の中途部が撓み変形し易いから、机天板１から余分に支柱３４を立設して収納箱体３５の長手方向の中途部を支持する必要があるが、本発明では、支持板４５上に１つの横長の収納箱体３５を載置して固定するので、前記余分の支柱３４を省略することができる。しかも、収納箱体３５の剛性を必要以上に大きくすることを回避して軽量化を図ることができる。
【００５１】
さらに、収納箱体３５及びその内容物品の重量が前記余分の支柱３４を介して机天板１の左右中途部に集中的に作用して、当該机天板１の左右中途部が下に大きく撓み変形し易くなるので、その部分に机天板１を支持するための脚体が余分に必要となるが、本発明によれば、机天板１の後部の左右中途部に支柱３４を設ける必要がないので、収納箱体３５及びその内容物品の重量のために机天板１の後部の左右中途部が変形することがないし、机天板１の変形を防止するための余分の脚体も不必要となり、コストを低減できる。
【００５２】
しかも、机天板１の左右中途部に支柱３４が存在しないので、デザイン的にもすっきりとした美観を呈することができるという効果を奏する。
【００５３】
請求項２に記載の発明によれば、机天板１の少なくとも後部を脚体２または補助脚体３にて支持してなる机において、前記２つの机天板１を、その後端同士を隣接させて背中合わせ状に配置し、各机天板１の後部の左右両側端部から一対の支柱３４を立設し、合計４本の支柱３４の上端間に跨がって横長の１枚の支持板４５を装着し、この支持板４５上に複数の収納箱体３５を横１列状に配置して固定したから、一層支持能力が向上する。即ち、従来のように、収納箱体３５１つに付き左右一対の支柱３４が必要となるのに比べて、本発明では、支柱３４の必要数を少なくすることができる。また、机天板１の左右中途部に支柱３４を立設した場合、その支柱３４を介して収納箱体３５及びその内容物品の重量が机天板１の左右中途部に集中的に作用して、当該机天板１の左右中央部が下に大きく撓み変形し易くなるので、その部分に机天板１を支持するための脚体が余分に必要となるが、本発明によれば、机天板１の後部の左右中途部に支柱３４を設ける必要がないので、収納箱体３５及びその内容物品の重量のために机天板１の後部の左右中途部が変形することがないし、机天板１の変形を防止するための余分の脚体も不必要となり、コストを低減できる。
【００５４】
しかも、机天板１の左右中途部に支柱３４が存在しないので、デザイン的にもすっきりとした美観を呈することができるという効果を奏する。
【００５５】
さらに、各机天板１の後部の左右両側端部から立設した合計４本の支柱３４の上端間に跨がって横長の１枚の支持板４５を装着し、この支持板４５上に複数の収納箱体３５を横１列状に配置して固定したから、各机天板１の上方における前方に対する支持板４５及び収納箱体３５の突出量を少なくでき、各机の前に座る人にとって圧迫感が少なくなるという効果も奏する。
【００５６】
なお、以上に詳述したように、机天板の後部の隅部から立設する支柱装置において、平面視略Ｌ字状の上下長手の基体の左右両側縁に、平面視略Ｌ字状の上下長手の縁片を内向きに備え、該両縁片には、上下方向に適宜間隔にて、物品取付けのための係止溝孔をそれぞれ穿設する一方、前記両縁片における互いに対向する角部に内方向から係脱するための係合爪を備えたカバー体を着脱自在に装着したものであり、このように、１本の支柱において平面視で互いに９０度方向の異なる向きに係止溝孔を設け、この両係止溝孔を利用して、物品取付けのためのブラケットを、脱落不能で且つガタツキなく、強固に装着できるから、物品の取付けや載置状態が安定するという効果を奏する。
【００５７】
また、前記左右一対の縁片を備えた取付け部材を、前記基体の内面に固着したものである。このように、係止溝孔を備える取付け部材を基体と別体に構成すると、薄い板厚の取付け部材を利用して縁片の屈曲形成が容易に形成できるという効果を奏する。
【００５８】
そして、前記左右一対の支柱を机天板の後部の隅部から立設し、前記左右両支柱における係止溝孔に着脱自在に装着したブラケットを介して棚板を装着すれば、従来のように、左右一対の支柱にて、机天板の前方向に延びるようにブラケットを装着できると共に、机天板の後縁に沿う方向にもブラケットを装着できるから、棚板の支持形態が強固にできるという効果を奏する。
【００５９】
さらに、前記左右一対の支柱の上端間に支持板を装着し、該支持板に収納箱体を支持させた構成にすれば、収納箱体より下方位置で、一対支柱の上下中途部において前記棚板や物品取付け箇所を確保することができて、机天板の後部の収納箱体より下方空間の有効利用が図れるという効果を奏する。
【００６０】
また机における左右一対の脚体の上端に、前記机天板を載置するための連結体を連結し、該連結体もしくは机天板の下面を支持する支持板に、前記各基体の基部を着脱自在に装着し、前記各基体を前記机天板の後隅部に隣接するように配置すれば、支柱を机天板に固定しないから、その下方の支持板や連結体を強固にするだけで、支柱の立設の作業が容易にできると共に当該支柱の取付け強度が向上し、重量の大きい収納箱体等を載置することができるという効果を奏する。
【００６１】
本発明は上述の記載及び図面によって説明した実施形態及び参考例に限定されるものではなく、要旨を逸脱しない範囲内で、種々変更して実施することができる。例えば、平面視矩形状の机天板に適用する場合には、当該机天板の左右両側部を前記脚体２、２及び連結体１１と天板支持板１８ａ，１８ｂを介して机天板を支持し、連結体もしくは前記机天板の下面を支持する支持板に、前記各支柱の基部を固定するようにしても良い。
【図面の簡単な説明】
【００６２】
【図１】本発明に係る事務用机及び収納箱体の配置を示す１実施形態の斜視図である。
【図２】本発明に係る事務用机及び収納箱体の配置を示す他の実施形態の斜視図である。
【図３】支柱及び収納箱体を省略した机等の配置を示す平面図である。
【図４】支柱及び収納箱体の部分を示す側面図である。
【図５】机天板を除去した状態の平面図である。
【図６】要部の分解斜視図である。
【図７】連結体の斜視図である。
【図８】図７の VIII −VIII線矢視拡大断面図である。
【図９】連結体に対する配線受け樋の取付け状態を示す側断面図である。
【図１０】連結体に支柱を立設したときに側断面図である。
【図１１】支柱を立設したときの机天板を除去した状態での平面図である。
【図１２】配線受け樋の側断面図である。
【図１３】キャップの斜視図である。
【図１４】（ａ）はキャップ体の平面図、（ｂ）は一部切欠き側面図である。
【図１５】（ａ）は上補助キャップの斜視図、（ｂ）は縦補助キャップの斜視図である。
【図１６】支柱の別参考例の側面図である。
【図１７】図１６のXVII−XVII線矢視拡大断面図である。
【図１８】支柱に対するブラケットの取付け状態を示す要部側断面図である。
【図１９】（ａ）は左右の支柱間に配置する棚板の支持状態を示す１例の概略平面図、（ｂ）は他の例を示す概略平面図である。
【図２０】小棚板の支持ブラケットの平面図である。
【図２１】物品支持用ブラケットの一部切欠き平面図である。
【図２２】収納箱体の他の支持状態を示す側面図である。
【図２３】図２２の平面図である。
【符号の説明】
【００６３】
１            机天板
２            脚体
３            補助脚体
４            横長のステー部材
５            配線受け樋
１１            連結体
１４            脚取付け部
１８ａ，１８ｂ            天板支持板
２０            キャップ体
２３            カバー体
３４            支柱
３９            基体
４０            カバー体
４１、４１        縁片
４２、４２        係止溝孔
４７            棚板
４９            ブラケット
５０ａ，５０ｂ      係合爪
５１            ビス
５２            小棚板
５３            支持ブラケット
５３ａ          大ブラケット
５３ｂ          小ブラケット
５４ａ，５４ｂ      屈曲部
【図１】
2006081922.tif 000003
【図２】
2006081922.tif 000004
【図３】
2006081922.tif 000005
【図４】
2006081922.tif 000006
【図５】
2006081922.tif 000007
【図６】
2006081922.tif 000008
【図７】
2006081922.tif 000009
【図８】
2006081922.tif 000010
【図９】
2006081922.tif 000011
【図１０】
2006081922.tif 000012
【図１１】
2006081922.tif 000013
【図１２】
2006081922.tif 000014
【図１３】
2006081922.tif 000015
【図１４】
2006081922.tif 000016
【図１５】
2006081922.tif 000017
【図１６】
2006081922.tif 000018
【図１７】
2006081922.tif 000019
【図１８】
2006081922.tif 000020
【図１９】
2006081922.tif 000021
【図２０】
2006081922.tif 000022
【図２１】
2006081922.tif 000023
【図２２】
2006081922.tif 000024
【図２３】
2006081922.tif 000025